(57)【特許請求の範囲】
【請求項１】
浴室の壁および浴槽から水平方向に離間させた天板の下面を支持材で支持した浴室用カウンターであって、
前記支持材は、前記天板の後端側にある浴室の壁に固定され、
前記天板は、前記浴室の壁および浴槽から水平方向に離間させることで、平面視において、前記天板の後端と前記支持材が固定された壁との間に前記支持材が露出するように設けられ、
前記支持材は、前記支持材の上面に前記天板から前記支持材が固定された壁に向けて下方に傾斜する第１の傾斜面を有すると共に、前記支持材の下面に前記天板から前記支持材が固定された壁に向けて下方に傾斜する第２の傾斜面を有するよう構成して、前記支持材の上面が前記支持材が固定された壁に当接する位置を、前記天板の下面よりも低い位置となるように、前記壁に固定されることを特徴とする浴室用カウンター。
【請求項２】
前記支持材は、前記天板を前記支持材が固定された壁に固定するための支持材本体と、前記支持材本体の外周を覆ってなる支持材カバーと、を備え、
前記支持材カバーの上面に前記第１の傾斜面を有するよう構成する共に、前記支持材カバーの下面に前記第２の傾斜面を有するよう構成したことを特徴とする請求項１記載の浴室用カウンター。
【請求項３】
前記支持材の下面は、前記支持材の下面のうち最も低い位置に設けられた最低面を有し、前記最低面は略水平となるように設けられていることを特徴とする請求項１または２に記載の浴室用カウンター。
【請求項４】
前記支持材の上面は、前記支持材が固定された壁に接続される接続面を前記第１の傾斜面よりも後方に有し、前記接続面は略水平となるように設けられていることを特徴とする請求項１〜３のいずれか１つに記載の浴室用カウンター。
【請求項５】
平面視において、前記天板の後端と前記支持材が固定された壁との間に露出する支持材の横方向の長さを、前記天板の横方向の長さよりも短くしたことを特徴とする請求項１〜４のいずれか１つに記載の浴室用カウンター。
【発明の詳細な説明】
【技術分野】
【０００１】
本発明の態様は、一般的に、浴室の壁に取り付けられる浴室用カウンターに関する。
【背景技術】
【０００２】
家庭の浴室において身体を洗う作業を楽にするために、浴室用カウンターが浴室の壁に取り付けられている。使用者は、浴室用カウンターを利用することにより洗面器を洗い場よりも上方に置くことができる。
【０００３】
ここで、トップ部材、ボディ部材、及びブラケットの３つの部材で構成されたカウンターがある（特許文献１）。特許文献１に記載されたカウンターでは、ブラケットは、壁面へ固定され、トップ部材を支持している。トップ部材は、トップ面よりも一段低く形成された溝形成部を後方側に有しており、溝形成部の上面が排水溝の底面となる（特許文献１、図５参照）。
【０００４】
しかし、特許文献１に記載されたカウンターでは、トップ部材と壁面とが成す角部において入隅が形成されてしまう。特許文献１のカウンターでは、排水溝の前後方向の幅が比較的狭いため、入隅を掃除することは困難であり、入隅にこびりついた水垢や石鹸カスを落とすことは容易ではない。そのため、入隅にこびりついた汚れによって、特許文献１に記載されたカウンターは、浴室の美観を損ねるおそれがある。
【０００５】
これに対して、カウンタが浴槽および壁面から離れて設けられたカウンタ付き浴室がある（特許文献２）。特許文献２に記載されたカウンタ付き浴室では、支柱がカウンタを長手方向に貫通しカウンタを支持している。しかし、特許文献２に記載されたカウンタ付き浴室であっても、支柱がカウンタを貫通しているため、カウンタの側端面と支柱とが成す角部において入隅が形成される。この入隅を掃除することは困難であり、入隅に付着した汚れを落とすことは容易ではない。そのため、特許文献２に記載されたカウンターにおいては、浴室の美観を損ねるおそれがあるという点において改善の余地がある。
【先行技術文献】
【特許文献】
【０００６】
【特許文献１】特開２０１１−６７３４０号公報
【特許文献２】特開２０１３−１７９９８７号公報
【発明の概要】
【発明が解決しようとする課題】
【０００７】
本発明は、かかる課題の認識に基づいてなされたものであり、浴室の美観を向上させることができる浴室用カウンターを提供することを目的とする。
【課題を解決するための手段】
【０００８】
上記した課題を解決するために、本発明は、浴室の壁および浴槽から水平方向に離間させた天板の下面を支持材で支持した浴室用カウンターであって、前記支持材は、前記天板の後端側にある浴室の壁に固定され、前記天板は、前記浴室の壁および浴槽から水平方向に離間させることで、平面視において、前記天板の後端と前記支持材が固定された壁との間に前記支持材が露出するように設けられ、前記支持材は、前記支持材の上面に前記天板から前記支持材が固定された壁に向けて下方に傾斜する第１の傾斜面を有すると共に、前記支持材の下面に前記天板から前記支持材が固定された壁に向けて下方に傾斜する第２の傾斜面を有するよう構成して、前記支持材の上面が前記支持材が固定された壁に当接する位置を、前記天板の下面よりも低い位置となるように、前記壁に固定されることを特徴とする。
【０００９】
これによれば、天板の下面を支える支持材は、支持材の上面に天板の下面から支持材が固定された壁に向けて下方に傾斜する第１の傾斜面を有すると共に、支持材の下面に天板の下面から支持材が固定された壁に向けて下方に傾斜する第２の傾斜面を有するよう構成することで、支持材の上面が支持材が固定された壁に当接する位置を、天板の下面よりも低い位置となるようにしている。そのため、支持材は、天板を使用する使用者の目線では天板の死角に入るので、使用者は支持材を視認することができない。したがって、使用者は、天板が浮いているように認識することとなる。
また、天板と壁あるいは浴槽との間の入隅がなくなるので、天板の隅に水や汚れが溜まることがない。支持材と壁との間の入隅に水や汚れが溜まったとしても、そこは天板の死角に入るので、落ちない汚れを使用者にさらすことがなく、浴室の美観を良くすることができる。さらに、天板の全周が側壁面や浴槽から水平方向に離れているので、天板全周端面を清掃しやすい。
【００１０】
また、本発明では、前記支持材は、前記天板を前記支持材が固定された壁に固定するための支持材本体と、前記支持材本体の外周を覆ってなる支持材カバーと、を備え、前記支持材カバーの上面に前記第１の傾斜面を有するよう構成する共に、前記支持材カバーの下面に前記第２の傾斜面を有するように構成するのが好ましい。
【００１１】
これによれば、支持材本体は、軽量にしつつも天板を支える耐荷重性を付与するために、例えばリブを立てた複雑な形状にしつつも、支持材本体の周囲を支持材カバーで覆うことによって、支持材の周囲を平面や曲面などの面で構成することが可能となる。そのため、支持材に付着した汚れも清掃しやすくなる。
【００１２】
また、本発明では、前記支持材の下面は、前記支持材の下面のうち最も低い位置に設けられた最低面を有し、前記最低面は略水平となるように設けられていることも、好ましい。
【００１３】
これによれば、支持材に付着した水は、支持材の下面のうち最も低い位置に設けられた最低面まで流れ落ち、最低面に溜まることが多い。したがって、最低面は支持材の下面のうち比較的汚れやすい部分となる。本発明では、支持材の下面のうち最も低い位置に設けられた最低面を略水平となるように設けているため、最低面に汚れが生じたとしても、最低面が洗い場の上面と相対するよう下方を向くため、例え使用者が洗い場で低い姿勢をとったとしても、その汚れは使用者からは視認しづらい。したがって、より確実に汚れを使用者にさらすことがなく、浴室の美観を良くすることができる。
【００１４】
また、本発明では、前記支持材の上面は、前記支持材が固定された壁に接続される接続面を前記第１の傾斜面よりも後方に有し、前記接続面は略水平となるように設けられていることも、好ましい。
【００１５】
これによれば、支持材の上面は、支持材が固定された壁に接続される接続面を第１の傾斜面よりも後方に有し、接続面は略水平となるように設けられているため、支持材上面の壁への接続位置が同一の場合に、より第１の傾斜面の傾斜角度を大きく設けることができる。このため、より使用者から支持材を視認しづらくできる。さらに、接続面は略水平となるように設けられているため、接続面が壁に向かって下方傾斜している場合に比べて接続面と壁とのなす角度を大きくでき、接続面と壁との間の角部の清掃性を高めることができる。
【００１６】
また、本発明では、平面視において、前記天板の後端と前記支持材が固定された壁との間に露出する支持材の横方向の長さを、前記天板の横方向の長さよりも短くしたことも、好ましい。
【００１７】
これによれば、平面視において、前記天板の後端と前記支持材が固定された壁との間に露出する支持材の横方向の長さが天板の横方向の長さよりも短いため、水がかかりやすい支持材の上面の面積を小さく抑えることができる。これにより水や汚れが溜まりやすい部分の面積を小さくでき、清掃の手間を減らすことができる。
【発明の効果】
【００１８】
本発明の態様によれば、浴室の美観を向上させることができる浴室用カウンターが提供される。
【図面の簡単な説明】
【００１９】
【図１】本発明の実施形態の浴室用カウンターを設置した浴室を示す斜視図である。
【図２】本発明の実施形態の浴室用カウンターの平面図である。
【図３】本発明の実施形態の浴室用カウンターの正面図である。
【図４】本発明の実施形態の浴室用カウンターの右側面図である。
【図５】本発明の実施形態の浴室用カウンターの底面図である。
【図６】本発明の実施形態の浴室用カウンターの壁への取付け方法を説明する模式図である。
【図７】本発明の実施形態の浴室用カウンターに対する使用者の視認範囲を示す模式図である。
【図８】本発明の実施形態の浴室用カウンターの側端面に付着した汚れを示す拡大図である。
【図９】本発明の実施形態の浴室用カウンターの側端面をお手入れしている状態を示す図である。
【図１０】本発明の浴室用カウンターの第一の変形例を示す右側面図である。
【図１１】本発明の浴室用カウンターの第二の変形例を示す右側面図である。
【図１２】本発明の浴室用カウンターの第三の変形例を示す右側面図である。
【図１３】本発明者が実施した検討を説明する模式的平面図である。
【発明を実施するための形態】
【００２０】
以下、本発明の実施の形態を図面に基づいて説明する。
図１は、本発明の実施形態の浴室用カウンター３０を設置した浴室を示す斜視図、図２は浴室用カウンター３０の平面図、図３は浴室用カウンター３０の正面図、図４は浴室用カウンター３０の右側面図、図５は浴室用カウンター３０の底面図である。
【００２１】
図１に示すように、本実施形態における浴室用カウンター３０において、天板３００は、浴室の洗い場１００の正面壁１１０に取り付けられている。より具体的には、天板３００は、浴槽２００と、浴槽２００と洗い場１００を挟んで相対する側面壁１２０との間で、浴槽２００と側面壁１２０との間に配設される正面壁１１０に沿って取り付けられている。天板３００は、その上面３１０が平坦あるいは緩く傾斜して段差の無い載置面となっており、洗面器などを載せて使用することができる。
【００２２】
天板３００の上方の正面壁１１０には、天板３００に載せた洗面器に給湯する水栓４００が取り付けられている。また、水栓４００より上方の正面壁１１０には、鏡５００が取り付けられている。
【００２３】
天板３００は、支持材３５０によって正面壁１１０に取り付けられている。
【００２４】
支持材３５０は、その一端が、天板３００の下面３２０において、側端面３３０から離れた位置に、ネジなどの締結具３５１によって取り付けられている。また、支持材３５０の他端は、正面壁１１０の、天板３００の側端面３３０の下端よりも所定寸法離れた下方位置に、ボルトなどの締結具３５２により取り付けられている。
なお、詳しくは後述するが、支持材３５０は、支持材本体３５３と、その周囲を化粧する支持材カバー３５４とを組立てて構成されている。
【００２５】
天板３００は、その左右および背後の側端面が、それぞれ正面壁１１０、側面壁１２０、浴槽２００から離間するように取り付けられている。そのため、天板３００の側端面３３０と正面壁１１０、側面壁１２０、浴槽２００との間には、それぞれ隙間が形成される。本実施形態においては、天板３００の背後の側端面３３０Ｂと正面壁１１０との間には、５０ｍｍの隙間Ｓ１が設けられている。天板３００の左側（浴槽２００側）の側端面３３０Ｌと浴槽２００との間には、７０ｍｍの隙間Ｓ２が設けられている。また、天板３００の右側（壁１２０側）の側端面３３０Ｒと側面壁１２０との間には、７０ｍｍの隙間Ｓ３が設けられている。
【００２６】
この隙間Ｓ１〜Ｓ３は、天板３００の側端面３３０を拭き掃除するのに適切な寸法の隙間があいている。隙間に手指Ｆを入れて念入りに掃除をするには、隙間Ｓ１，Ｓ２，Ｓ３は、３０ｍｍ以上であることが好ましく、手の甲が正面壁１１０、側面壁１２０、浴槽２００に当たらないためには７０ｍｍ以下であることが好ましい。また、隙間Ｓ１は、洗い場１００に天板３００が大きく出っ張らないために、３０〜５０ｍｍであることがより好ましい。
【００２７】
次に、この浴室用カウンターの壁への取付け方法を説明する。
図６は、浴室用カウンターの壁への取付け方法を説明する模式図である。
【００２８】
まず、図６（ａ）に示すように、支持材本体３５３を正面壁１１０の所定の位置に固定する。この固定は、前述したように、ボルトなどの締結具３５２によって行われる。
そして、図６（ｂ）に示すように、支持材本体３５３に支持材カバー３５４を被せて、支持材本体３５３の周囲を化粧して、支持材３５０の組立を完了する。
最後に、図６（ｃ）に示すように、支持材３５０の先端（上端）に天板３００を載せてネジなどの締結具３５１によって取付け固定する。
【００２９】
このように、支持材３５０は、支持材本体３５３と支持材カバー３５４とに分割されている。天板３００を支持する支持体本体３５３は、軽量でありながらも、上に物が載る天板３００からかかる荷重を受け止めるための耐荷重性が必要とされるので、例えば、多数のリブを形成した複雑な形状とするのが好適である。ところが、多数のリブが洗い場に露出すると、洗い場で跳ねた水によってリブを有する支持体本体３５３に汚れが付着してしまい、清掃性が低下する。そこで、表面が平面あるいは曲面で構成されている支持材カバー３５４を支持材本体３５３の周囲に被せることによって、跳ねた水は平面あるいは曲面で構成される支持材カバー３５４に付着するので、清掃性は良好になる。
【００３０】
なお、この支持材カバー３５４は、図６で説明した形態に限定されるものではない。例えば、支持材カバー３５４を上下に２分割して、支持材本体３５３の上下から挿し込んで係合させるような形態であってもよい。
【００３１】
図７は、浴室用カウンターに対する使用者の視認範囲を示す模式図である。
この浴室用カウンターを大人の使用者Ｈが上方から覗くと、使用者Ｈの目と天板３００の後端縁とをつなぐ仮想直線Ｌ１は、支持材３５０の上面が正面壁１１０に当接している位置よりも上方で正面壁１１０に突き当たる。一方、使用者Ｈの目と天板３００の前端縁とをつなぐ仮想直線Ｌ２は、支持材３５０と交わることなく洗い場１００に突き当たる。よって、天板３００を支持する支持材３５０は、使用者Ｈの目線からは死角に入っている。そのため、使用者Ｈが風呂椅子に座って髪や身体を洗うような通常使用状態においては、使用者Ｈは支持材３５０を視認することができない。したがって、使用者は、天板が浮いているように認識することとなる。
【００３２】
また、反面、支持材３５０の上面が正面壁１１０に当接している位置は、使用者Ｈの死角に入っているので、支持材３５０に付着した汚れは使用者Ｈから視認することができない。そのため、前述した通常使用状態においては、浴室の美観を良好にすることが可能となる。
【００３３】
図８は、天板の側端面に付着した汚れを示す拡大図である。
前述したとおり、天板３００の上面３１０に洗面器を載せて使用するため、天板３００の上面３１０には界面活性剤を含んだ水が流れる。その水は、天板３００の全体の周囲から側端面３３０を伝って洗い場１００上に落下する。そのため、水垢あるいは石鹸カスなどの汚れＤは、天板３００の側端面３３０に残留しやすい。特に、側端面３３０の下端に残留しやすい。
【００３４】
次に、天板のお手入れ方法について説明する。
図９は、天板の側端面をお手入れしている状態を示す図である。
【００３５】
天板３００の側端面３３０の下端に付着した汚れＤは、洗剤を含ませた等の清掃用具Ｃで擦り洗いすることによって落とすことができる。その際、天板３００の側端面３３０と正面壁１１０，側面壁１２０あるいは浴槽２００との隙間Ｓ１，Ｓ２，Ｓ３は、前述したとおり３０ｍｍ以上の寸法を有するので、図９に示すように、清掃用具Ｃを掴んだ手指Ｆは、この隙間Ｓ１，Ｓ２，Ｓ３に容易に差し込むことができる。そして、支持材３５０の一端は、天板３００の下面３２０のうち側端面３３０から離れた位置に取り付けられている。そのため、天板３００の側端面３３０と支持材３５０とで入隅が形成されることはなく、天板３００の側端面３３０の下方は空間となる。これにより、天板３００の側端面３３０を、力を入れて擦り洗いすることが可能となる。また、天板３００の側端面３３０に付着した汚れは、入隅に付着した汚れよりも容易に擦り落とすことが可能である。したがって、天板３００の側端面３３０の下端などに付着した水垢や石鹸カスといった汚れＤを簡単に落とすことができる。これにより、天板３００の側端面３３０へのカビの発生を抑制することができる。
【００３６】
本実施形態の天板３００によれば、天板３００が、その側端面３３０を正面壁１１０，側面壁１２０や浴槽２００から離して配設されるので、天板３００と正面壁１１０，側面壁１２０や浴槽２００とが成す入隅が無くなる。そのため、従来、入隅に溜まりやすかった水や汚れが残留することがない。また、正面壁１１０，側面壁１２０や浴槽２００と天板３００との間の入隅にシリコンを塗布する必要もなく、見栄えも良好になる。
【００３７】
さらに、天板３００の側端面３３０を正面壁１１０，側面壁１２０や浴槽２００から水平方向に離間させた上で、天板３００の下面３２０のうち側端面３３０から離れた位置に取り付けた支持材３５０で壁１１０に固定するので、天板３００の側端面３３０は正面壁１１０，側面壁１２０や浴槽２００ばかりでなく支持材３５０からも離間した状態となる。そのため、天板３００の上面３１０から界面活性剤を含んだ水が天板３００の側端面３３０に垂れ流され、水垢や石鹸カスなどの汚れＤが天板３００の側端面３３０に残っても、天板３００の側端面３３０を端から端まで、洗剤と清掃用具Ｃとで、より一層、簡単に清掃することができる。
【００３８】
また、天板３００は、天板３００の側端面３３０と正面壁１１０，側面壁１２０や浴槽２００とを、３０ｍｍ以上離間させる。これにより、清掃用具Ｃを持った手指Ｆを隙間Ｓ１，Ｓ２，Ｓ３に容易に差し込むことができ、強い力で拭き掃除することが可能である。
【００３９】
また、天板３００は、上面３１０には段差を形成していないので、水は天板３００の上面３１０に溜まりにくく、天板３００の上面３１０への水垢や石鹸カスなどの汚れの付着を抑制することが可能となる。
【００４０】
次に、本発明の浴室用カウンターの変形例について説明する。なお、前述した実施形態と同じ構成については、同じ符号を付し、その説明を省いている。
【００４１】
図１０は、第一の変形例の浴室用カウンターを示す右側面図である。
図１０における天板６００は、側端面６３０を曲面状にして、さらに、上面６１０・下面６２０と側端面６３０との間に角を無くしている。
【００４２】
この変形例によれば、天板６００は、側端面６３０を曲面状にすることにより、拭き掃除を一層手軽に行うことができる。
【００４３】
図１１は、第二の変形例の浴室用カウンターを示す右側面図である。
図１１における天板７００では、天板７００と支持材３５０との間に、補強材３７０を設けている。この補強材３７０は、天板７００よりも狭い横幅（横方向の長さ）の支持材３５０で支持しても天板７００を撓みにくくする。
そして、天板７００の背後の側端面７３０Ｂと補強材３７０の背後の側端面３７０Ｂとは、面一となるように構成されている。
【００４４】
このように、本発明は、支持材３５０で直接天板７００を支持しなくても構わない。
【００４５】
また、この変形例によれば、支持材３５０の真上においては、天板７００の裏側まで清掃用具Ｃが入り込まないので、前述した実施の形態よりも手間はかかるが、天板７００の全ての側端面は壁や浴槽から離れているので、やはり、汚れが付着した天板７００の側端面を端から端まで、洗剤と清掃用具Ｃで簡単に擦り洗いすることができる。
【００４６】
なお、支持材３５０と補強材３７０とを一体化させてもよい。
【００４７】
図１２は、第三の変形例の浴室用カウンターを示す右側面図である。
【００４８】
図１２における浴室用カウンターにおいては、支持材９００は、その上面に、第１の傾斜面９２０および第１の接続面９３０を有する。第１の傾斜面９２０は、天板８００から正面壁１１０に向けて下方に傾斜する面である。第１の接続面９３０は、第１の傾斜面９２０よりも後方に設けられ、正面壁１１０に接続される面であり、正面壁１１０から連続して設けられている。この第１の接続面９３０は略水平となるように設けられている。このように支持材９００の上面を構成しているため、第１の接続面９３０が傾斜している場合に比べて、第１の接続面９３０と正面壁１１０とのなす角度θを大きくでき、第１の接続面９３０と壁と正面壁１１０の角部の清掃性を高めることができる。
【００４９】
一方、支持材９００は、その下面に、第２の傾斜面９４０および第２の接続面９５０を有する。第２の傾斜面９４０は、天板８００の下面から正面壁１１０に向けて下方に傾斜する面である。第２の接続面９５０は、第２の傾斜面９２０よりも後方に設けられ、正面壁１１０に接続される面であり、正面壁１１０から連続して設けられている。この第２の接続面９５０は、支持材９００の下面のうち、最も低い位置に設けられた面（最低面）であり、略水平となるように設けられている。ここで、支持材９４０の下面に付着した水は、第２の傾斜面９２０を流れ落ち、第２の接続面９５０に至るため、第２の接続面９５０には汚れＤが生じやすい。しかし、第２の接続面９５０が、略水平となるように設けられているため、例え使用者が洗い場で低い姿勢をとったとしても、その汚れは使用者からは視認しづらい。したがって、より確実に汚れを使用者にさらすことがなく、浴室の美観を良くすることができる。
【００５０】
次に、本発明者が実施した検討について、図面を参照しつつ説明する。  
図１３は、本発明者が実施した検討を説明する模式的平面図である。
【００５１】
本発明者は、天板８００の死角について検討を行った。より具体的には、本発明者は、使用者５６０が支持材９００を視認できない角度および高さについて検討を行った。
【００５２】
まず、本発明者が得た知見によれば、一般的な風呂いすの高さは、主として２５０ｍｍ以上、３５０ｍｍ以下である。そのため、本検討では、風呂いす５５０の高さＤ２１の最大値を３５０ｍｍとし、風呂いす５５０の高さＤ２１の最小値を２５０ｍｍとした。
【００５３】
「日本人の人体寸法データブック２００４−２００６」（社団法人  人間生活工学研究センター）に記載された人体計測データによれば、２０歳以上８０歳以下の男性の座面から目線の高さ（「座位姿勢における水平な座面から外眼角点までの鉛直距離」）の９５パーセンタイル値は、８４８ｍｍである。また、２０歳以上８０歳以下の女性の座面から目線の高さの５パーセンタイル値は、６１７ｍｍである。そのため、本検討では、座面から目線の高さＤ２２の最大値を８４８ｍｍとし、座面から目線の高さＤ２２の最小値を６１７ｍｍとした。
【００５４】
これにより、洗い場１００から使用者５６０の目線の高さＤ２９の最大値は、１１９８ｍｍである。洗い場１００から使用者５６０の目線の高さＤ２９の最小値は、８６７ｍｍである。
【００５５】
前述した目線の高さＤ２９の範囲において、浴室用カウンター８０の前の風呂いす５５０に座った使用者５６０の目の位置と、正面壁１１０と、の間の距離Ｄ２３を６５０ｍｍとした。
【００５６】
天板８００の背後の側端面８００Ｂと、正面壁１１０と、の間の距離Ｄ２４を４０ｍｍとした。  
洗い場１００と、浴室用カウンター８０の天板８００の上面８１０と、の間の距離Ｄ３１を３４５ｍｍとした。
【００５７】
このような条件において、本発明者が実施した検討の結果は、次の通りである。すなわち、使用者５６０の目と支持材９００の下端を結ぶ仮想直線および水平面のなす角度（θ１）が５７．５８度以下であれば、男女問わず成人の使用者のうち、大部分の使用者が支持材の下端を視認できなくなる。図１３における角度Ｂ１４は、上記角度（θ１）が５７．５８度の状態を表している。
【００５８】
一方、使用者５６０の目と支持材３２０の上端とを結ぶ仮想直線および水平面のなす角度（θ２）が５４．５４度以上であれば、男女問わず成人の使用者のうち、大部分の使用者が支持材の上端を視認できなくなる。図１３における角度Ｂ１３は、上記角度（θ２）が５４．５４度の状態を表している。
【００５９】
すなわち、支持材９００の上端が、図１３における角度θ２が５４．５４度である場合に対応する仮想直線（破線Ｘ）よりも下方に位置し、支持材９００の下端が、図１３における角度θ１が５７．５８度である場合に対応する仮想直線（破線Ｙ）よりも上方に位置するように支持材９００を設ければ、成人の使用者のうち、大部分の使用者が支持材９００を視認できなくなり、天板８００を浮いているように見せることができる。このとき、使用者５６０が支持材９００を視認できない高さであって、正面壁１１０の側の上端の高さＤ２６は、２８５ｍｍ以上、３０８ｍｍ以下である。
【００６０】
なお、図１３の支持材９００においては、第１の傾斜面９２０は、水平面に対し、１８．７度傾斜した斜面を有しており、支持材９００の下面における第２の傾斜面９４０は、３９．０度の斜面を有するように構成している。
【００６１】
以上、本発明の実施の形態について説明した。しかし、本発明はこれらの記述に限定されるものではない。
【符号の説明】
【００６２】
１００    洗い場
１１０    正面壁
１２０    壁
２００    浴槽
３０    浴室用カウンター
３００    天板
３１０    天板の上面
３２０    天板の下面
３３０    天板の側端面
３３０Ｂ  天板の背後側の側端面
３３０Ｒ  天板の右側の側端面
３３０Ｌ  天板の左側の側端面
３５０    支持材
６００    天板
６１０    天板の上面
６２０    天板の下面
６３０    天板の側端面
８００    天板
９００    支持材
９２０    第１の傾斜面
９３０    第１の接続面（接続面）
９４０    第２の傾斜面
９５０    第２の接続面（最低面）
Ｓ１      隙間
Ｓ２      隙間
Ｓ３      隙間
【要約】      （修正有）【課題】浴室の美観を向上させることができる浴室用カウンターを提供する。【解決手段】浴室の壁および浴槽から水平方向に離間させた天板８００の下面を支持材９００で支持した浴室用カウンター８０であって、天板８００は、浴室の壁および浴槽から水平方向に離間させてなり、支持材９００は、支持材９００の上面に天板８００から支持材９００が固定された壁に向けて下方に傾斜する第１の傾斜面９２０を有すると共に、支持材９００の下面に天板８００から支持材９００が固定された壁に向けて下方に傾斜する第２の傾斜面９４０を有するよう構成して、支持材９００の上面が支持材９００が固定された壁に当接する位置を、天板の下面よりも低い位置となるように、壁に固定する。【選択図】図１３【図１】
0005867792.tif 000002
【図２】
0005867792.tif 000003
【図３】
0005867792.tif 000004
【図４】
0005867792.tif 000005
【図５】
0005867792.tif 000006
【図６】
0005867792.tif 000007
【図７】
0005867792.tif 000008
【図８】
0005867792.tif 000009
【図９】
0005867792.tif 000010
【図１０】
0005867792.tif 000011
【図１１】
0005867792.tif 000012
【図１２】
0005867792.tif 000013
【図１３】
0005867792.tif 000014